(57)【要約】【課題】手動による開閉操作に切り換える伝達部材の操作を室内側および室外側の両方または開口部の左右などの複数箇所で行うことが可能となる電動シャッター装置を提供する。【解決手段】手動による開閉操作に切り換えられるように、モータから巻取ドラムへの動力伝達の入り切りが可能なクラッチ１０が設けられ、操作ワイヤー３０を引くことによりクラッチ１０の入り切りの切り換えが行われる電動シャッター装置において、操作ワイヤー３０が途中で複数に分岐され、操作ワイヤー３０（３２，３１）の操作部４１，３３が室外側および室内側に設けられている。これにより、手動による開閉操作に切り換える操作ワイヤーの操作を室外側および室内側の両方で行うことができる。【選択図】図３
2009057766.tif 000002
【特許請求の範囲】
【請求項１】
手動による開閉操作に切り換えられるように、モータから巻取ドラムへの動力伝達の入り切りが可能なクラッチが設けられ、伝達部材を介して前記クラッチの入り切りの切り換えが行われる電動シャッター装置において、
前記伝達部材が途中で複数に分岐され、該伝達部材の操作部が少なくとも室外側および室内側の１箇所に設けられていることを特徴とする電動シャッター装置。
【請求項２】
手動による開閉操作に切り換えられるように、モータから巻取ドラムへの動力伝達の入り切りが可能なクラッチが設けられ、伝達部材を介して前記クラッチの入り切りの切り換えが行われる電動シャッター装置において、
前記伝達部材が途中で複数に分岐され、該伝達部材の操作部が少なくとも建築物の開口部の左右に設けられていることを特徴とする電動シャッター装置。
【請求項３】
少なくとも室外側の前記操作部の操作を制限する鍵装置が設けられていることを特徴とする請求項１または請求項２に記載の電動シャッター装置。
【請求項４】
手動による開閉操作に切り換えられるように、モータから巻取ドラムへの動力伝達の入り切りが可能なクラッチが設けられ、伝達部材を介して前記クラッチの入り切りの切り換えが行われる電動シャッター装置において、
建築物の開口部の左右に立設された一対の縦枠とこれらの縦枠に取り付けられた一対のガイドレールとを備えており、前記縦枠と前記ガイドレールとの間の中空の空間を前記伝達部材が通されていることを特徴とする電動シャッター装置。
【発明の詳細な説明】
【技術分野】
【０００１】
本発明は、電動シャッター装置に係り、特に、非常時等に手動操作でシャッターカーテンの開閉を行うことができるシャッター装置に関する。
【背景技術】
【０００２】
住宅や、ガレージの出入口の戸、店舗等の入口の戸として、幅の狭い薄い板であるスラットを複数個連設してなるシャッターカーテンを用いたシャッター装置が広く利用されている。さらに最近、モータにより巻取ドラム（巻取部材）を回転駆動させてシャッターカーテンを開閉する電動シャッター装置も利用されている。
【０００３】
電動シャッター装置では、電動機構に故障が生じたり、あるいは停電の場合のような非常時にシャッターカーテンが落下しないように、シャッターにブレーキが働くようになっている。しかし、ブレーキが効いたままの状態では、シャッターカーテンの開閉ができなくなるため、必要な場合には、シャッターカーテンを手動で開閉できるようにしている。このような電動シャッター装置では、手動による開閉方式に切り換えられるように、モータの出力軸と巻取ドラムとは、クラッチを用いて連結されており、クラッチが切り状態で手動によりシャッターカーテンを開閉できるようになっている。
【０００４】
この種の電動シャッター装置として、例えば図５に記載のものが知られている（例えば、特許文献１参照）。同図に示すように、シャッターカーテン８が巻取ドラム７に巻き付けられるようになっており、この巻取ドラム７の内部の一端側には、モータ３が設けられている。モータ３の出力軸（駆動軸）３ａと巻取ホイール５ａとの間には、クラッチ機構１０が設けられており、操作者がワイヤーケーブル（伝達部材）１５を引くと、クラッチ機構１０が切り状態となり、モータ３の回転トルクが巻取ドラム７に伝達されないようになっている。
【０００５】
また、巻取ホイール５ａと、巻取ドラム７の他端部に取り付けられた巻取ホイール５ｂとの間に、シャフト４が設けられており、このシャフト４には、巻取バネ９が巻装されている。この巻取バネ９は、ばねの一端がシャフト４に固定され、ばねの他端が巻取ドラムに固定されている。これにより、シャッターカーテン８を引き出す（閉める）時に、巻取ドラム７の回転に伴って付勢力を蓄え、シャッターカーテン８を開ける時に、この付勢力により操作力を軽減するか、またはこの付勢力のみでシャッターカーテン８を巻取ドラムに巻き取るようになっている。
【０００６】
【特許文献１】特開平０９−０８８４５８号公報
【発明の開示】
【発明が解決しようとする課題】
【０００７】
ところで、このような電動シャッター装置では、通常、ワイヤーケーブル１５の操作部１６は、図６に示すように、巻取ドラム７を収納しているシャッターボックス１の室外側の下部点検口２付近に設置されているので、操作者Ｓが室内側から操作できないという問題がある。また、操作部１６がすぐ手の届く所にないため、操作がし難いという問題がある。また、操作部１６が室外側の左右のいずれか１箇所にしか設けられておらず、不便で使い勝手が悪いという問題がある。さらに、ワイヤーケーブル１５が露出した状態で延びているので、見栄えが悪いという問題がある。
【０００８】
本発明は、このような事情に鑑みて為されたもので、手動による開閉操作に切り換える伝達部材の操作を室内側および室外側の両方または開口部の左右などの複数箇所で行うことが可能となる電動シャッター装置を提供することを目的とする。
また、本発明は、このような事情に鑑みて為されたもので、手動による開閉操作に切り換える伝達部材を露出せずに設置することが可能で、外観を向上させることができる電動シャッター装置を提供することを目的とする。
【課題を解決するための手段】
【０００９】
前記目的を達成するために、請求項１に記載の電動シャッター装置は、手動による開閉操作に切り換えられるように、モータから巻取ドラムへの動力伝達の入り切りが可能なクラッチが設けられ、伝達部材を介して前記クラッチの入り切りの切り換えが行われる電動シャッター装置において、前記伝達部材が途中で複数に分岐され、該伝達部材の操作部が少なくとも室外側および室内側の１箇所に設けられていることを特徴とする。
【００１０】
請求項２に記載の電動シャッター装置は、手動による開閉操作に切り換えられるように、モータから巻取ドラムへの動力伝達の入り切りが可能なクラッチが設けられ、伝達部材を介して前記クラッチの入り切りの切り換えが行われる電動シャッター装置において、
前記伝達部材が途中で複数に分岐され、該伝達部材の操作部が少なくとも建築物の開口部の左右に設けられていることを特徴とする。
【００１１】
請求項３に記載の電動シャッター装置は、請求項１または請求項２に記載の発明において、少なくとも室外側の前記操作部の操作を制限する鍵装置が設けられていることを特徴とする。
ここで、伝達部材の操作部に鍵装置を直接設けるようにしてもよいし、あるいは伝達部材の操作部を操作ボックス等内に配置し、操作ボックス等に鍵装置を設けるようにしてもよい。
【００１２】
請求項４に記載の電動シャッター装置は、手動による開閉操作に切り換えられるように、モータから巻取ドラムへの動力伝達の入り切りが可能なクラッチが設けられ、伝達部材を介して前記クラッチの入り切りの切り換えが行われる電動シャッター装置において、
建築物の開口部の左右に立設された一対の縦枠とこれらの縦枠に取り付けられた一対のガイドレールとを備えており、前記縦枠と前記ガイドレールとの間の中空の空間を前記伝達部材が通されていることを特徴とする。
【００１３】
なお、上記各請求項において、「伝達部材」には、ワイヤーロープ等の金属製のものだけでなく、合成樹脂製その他のひも状のものや、さらには合成樹脂製その他の棒状のものなどを含む。また、伝達部材は分岐前後で異なるものを用いてもよい。また、上記各請求項において、伝達部材の操作部を操作者の手が届く高さに設けるのが好ましい。
【発明の効果】
【００１４】
請求項１に記載の発明においては、伝達部材が途中で複数に分岐され、分岐された伝達部材の操作部が少なくとも室外側および室内側の１箇所に設けられている。したがって、複数箇所に操作部を予め設けておくこと、あるいは複数箇所に操作部を設ける必要が生じた際に操作部を設けることができるため、室外側および室内側の両方、または室内側の複数箇所あるいは室外側の複数箇所、さらには室内外の複数箇所などで、手動による開閉操作に切り換える伝達部材の操作を行うことが可能になり、使い勝手を向上させることができる。
【００１５】
請求項２に記載の発明においては、伝達部材が途中で複数に分岐され、分岐された伝達部材の操作部が少なくとも建築物の開口部の左右に設けられているので、手動による開閉操作に切り換える伝達部材の操作を室外側および／または室内側の開口部の左右２箇所で行うことができ、使い勝手を向上させることができる。
【００１６】
請求項３に記載の発明においては、室外側の前記操作部の操作を制限する鍵装置が設けられているので、防犯に役立つ。
【００１７】
請求項４に記載の発明においては、縦枠とガイドレールとの間の中空の空間を伝達部材が通されているので、縦枠とガイドレールとの間のあいている空間を有効に利用できるとともに、外部に伝達部材が露出せずに伝達部材を設置することが可能になり、電動シャッター装置の外観を向上させることができる。
【発明を実施するための最良の形態】
【００１８】
以下、図面を参照しながら、本発明の実施の形態を説明する。
図１〜図３は、本発明の実施の形態に係る電動シャッター装置を示す図であって、図１は室外側から見た電動シャッター装置の斜視図であり、図２は縦枠とガイドレールの部分の横断面図であり、図３はクラッチと操作ワイヤーの部分の概略構成図である。
これらの図において、図５および図６と同一構成要素には同一符号を付してその説明を省略または簡略化する。
【００１９】
図１に示すように、この電動シャッター装置は、建築物の開口部の室外側に設置されるタイプのものである。電動シャッター装置は、左右に立設される一対のガイドレール２１，２１と、このガイドレール２１，２１に沿って昇降可能に設けられたシャッターカーテン８と、開口部の上側に設けられ、シャッターカーテン８を巻き取る巻取ドラム７と、この巻取ドラム７を収納しているシャッターボックス１とを備えている。図２に示すように、各ガイドレール２１はそれぞれ、開口部を形成する左右の躯体に固定された一対の縦枠２２の前端部に、一端を係合されるとともに他端をねじ２３により固定されることにより、取り付けられている。ガイドレール２１および縦枠２２はそれぞれ、アルミニウム合金等の押出形材などにより形成されている。
【００２０】
図５と同様に、この巻取ドラム７にはシャッターカーテン８が巻き付けられるようになっており、この巻取ドラム７の内部の一端側には、モータが設けられている。このモータの出力軸（駆動軸）と巻取ホイールとの間には、クラッチが設けられている。図３に示すように、このクラッチ１０には、可撓性線状部材としての操作ワイヤー（伝達部材）３０が連結されており、この操作ワイヤー（ワイヤーケーブル）３０は途中で分岐され、２つの操作ワイヤー３１および操作ワイヤー３２とされている。操作ワイヤー３０，３１，３２は、インナーワイヤーとアウターケーシングとを備えたもので、インナーワイヤーが操作される（引かれる）。
【００２１】
一方の操作ワイヤー３１は、シャッターボックス１から室内側に延びており、その先端部には操作棒からなる操作部３３が設けられている。この操作部３３は、操作者Ｓの手が届く高さの位置に配置されている。
【００２２】
図３および図２に示すように、他方の操作ワイヤー３２は、シャッターボックス１からガイドレール２１と縦枠２２との間の細長い中空の空間Ｋを通って延びており、その先端部は、鍵装置４０のシリンダ部（操作部）４１の後端部に連結されている。鍵装置４０の外筒部４２は、ガイドレール２１の室外側壁２１ａに形成された取付穴に挿入されてその前端部が固定され、室内側に向かって延びており、これにより外筒部４２の大部分がガイドレール２１と縦枠２２との間に形成される細長い中空の空間Ｋに位置している。この外筒部４２は、操作者Ｓの手が届く高さの位置に設けられている。外筒部４２には、シリンダ部４１が挿入されており、シリンダ部４１の鍵穴は、ガイドレール２１の室外側壁２１ａの室外側面から外部に露出している。室外側からシリンダ部４１の鍵穴に鍵を挿入して回し、開錠することにより、シリンダ部４１を外筒部４２から外部に引き出すことができるようになっている。
【００２３】
室内側において、操作者Ｓが操作部３３を引くと、操作ワイヤー３１および操作ワイヤー３０を介してクラッチ１０が操作されて、クラッチ１０が切り状態となり、モータの回転トルクが巻取ドラム７に伝達されないようになっている。また、室外側において、操作者Ｓが鍵装置４０を開錠して、シリンダ部４１を外筒部４２から外部に引き出すと、操作ワイヤー３２および操作ワイヤー３０を介してクラッチ１０が操作されて、クラッチ１０が切り状態となり、モータの回転トルクが巻取ドラム７に伝達されないようになっている。そして、このクラッチ１０が切り状態のときに手動によりシャッターカーテン８を開閉できるようになっている。
【００２４】
この場合、操作ワイヤー３０の他端側のクラッチ板等に一時係止機構を設けることにより、１度、操作ワイヤー３０の一端側（操作ワイヤー３１側および操作ワイヤー３２側）を引くと、すなわち操作ワイヤー３１または操作ワイヤー３２を引くと、クラッチ板が他方のクラッチ板から離れた状態で保持され、再度、操作ワイヤー３０の一端側を引くことにより、これらが連結する構成となっている。
【００２５】
なお、このように操作ワイヤー３１または操作ワイヤー３２を引く毎に、クラッチ１０が切り状態および入り状態を交互に繰り返す構成に代えて、操作ワイヤー３１または操作ワイヤー３２を引いた状態で、操作部３３またはシリンダ部４１を係止具等に係止する構成にすれば、クラッチ１０の切り状態を保持することができる。
【００２６】
また、図５と同様に、巻取ホイールと、巻取ドラム７の他端部に取り付けられた巻取ホイールとの間に、シャフトが設けられており、このシャフトには、その一端がシャフトに固定され、その他端が巻取ドラム７に固定されている巻取バネが巻装されていて、これによりシャッターカーテン８を引き出す（閉める）時に、巻取ドラム７の回転に伴って付勢力を蓄え、シャッターカーテン８を開ける時に、この付勢力により操作力を軽減するか、またはこの付勢力のみでシャッターカーテン８を巻取ドラムに巻き取るようになっている。
【００２７】
この電動シャッター装置においては、通常は、モータにより巻取ドラム７を回転駆動させてシャッターカーテン８を開閉する。
他方、電動機構に故障が生じたり、あるいは停電の場合等の非常時には、室内側において操作者Ｓが操作部３３を引くか、あるいは、室外側において操作者Ｓが鍵装置４０を開錠して、シリンダ部４１を外筒部４２から外部に引き出す。そうすると、操作ワイヤー３１または操作ワイヤー３２が引かれ、これにより操作ワイヤー３０が引かれてクラッチ１０が操作され、クラッチ１０が切り状態となり、モータの回転トルクが巻取ドラム７に伝達されなくなる。そして、クラッチ１０を切り状態とした後に、手動によりシャッターカーテン８を開閉する。
【００２８】
このように構成された電動シャッター装置にあっては、操作ワイヤー３０が途中で操作ワイヤー３１，３２の２つに分岐され、操作ワイヤー３１の操作部（シリンダ部）４１が室外側に設けられるとともに、操作ワイヤー３１の操作部３３が室内側に設けられているので、手動による開閉操作に切り換える操作ワイヤー３０の操作を室外側および室内側の両方で行うことができる。
また、室外側の操作部（シリンダ部）４１の操作を制限する鍵装置が設けられているので、防犯に有効である。
【００２９】
さらに、縦枠２１とガイドレール２２との間の細長い中空の空間Ｋを操作ワイヤー３２が通されているので、縦枠２１とガイドレール２２との間のあいている中空の空間Ｋを有効に利用できるとともに、外部に操作ワイヤー３２が露出せずに操作ワイヤー３２を設置することができ、見栄えが向上する。
【００３０】
図４は、本発明の他の実施の形態に係る電動シャッター装置を示す図であって、縦枠とガイドレールの部分の横断面図である。同図において、図２と同一構成要素には同一符号を付してその説明を省略または簡略化する。
本実施の形態の電動シャッター装置は、建築物の開口部の室内側に設置されるタイプのものである。各ガイドレール２１´はそれぞれ、開口部を形成する左右の躯体に固定された一対の縦枠２２´の前端部に、一端を係合されるとともに他端をねじ２３により固定されることにより、取り付けられている。ガイドレール２１´および縦枠２２´はそれぞれ、アルミニウム合金等の押出形材などにより形成されている。操作ワイヤー３２は、シャッターボックス１からガイドレール２１´と縦枠２２´との間の細長い中空の空間Ｋを通って延びており、その先端部は、鍵装置４０のシリンダ部（操作部）４１の後端部に連結されている。鍵装置４０の外筒部４２は、縦枠２２´において、シャッターカーテン８側で室内外方向に延びている内側壁２２´ｂに形成された取付穴に挿入されてその前端部が固定され、シャッターカーテン８と平行に延びており、これにより外筒部４２の大部分がガイドレール２１´と縦枠２２´との間に形成される細長い中空の空間Ｋに位置している。その他の構成は、前述の実施の形態と同様である。
本実施の形態にあっても、前述の実施の形態と同様の作用効果を奏することができる。
【００３１】
なお、本発明は、前述の実施の形態に限定されるものではなく、種々変更可能である。
例えば、前述の各実施の形態では、この操作ワイヤー（伝達部材）３０を２つの操作ワイヤー３１および操作ワイヤー３２に分岐し、室内側および室外側に分岐したが、室外側または室内側の開口部の左右に設置するようにしてもよい。さらに、この操作ワイヤー（伝達部材）３０を３つ以上に分岐し、室内、室外の操作部を増やしてもよい。さらには、この操作ワイヤー（伝達部材）３０を２つ以上の複数に分岐し、少なくとも室外側および室内側の１箇所に操作部を設け、分岐された他の操作ワイヤー（伝達部材）には操作部を設けずにおいて、複数箇所に操作部を設ける必要が生じた際に操作部を設けることができるようにしておいてもよい。
また、操作部を設置する場所は左右のガイドレール２１のどちらでも良く、また任意の高さに設定することができ、さらにはシャッターボックス１や躯体など他の場所でもよい。
【００３２】
また、前述の各実施の形態では、鍵装置４０の一部（シリンダ部４１）を操作部としたが、操作棒等の操作部を鍵装置付きの蓋を備えた収容部に収容しておき、鍵で蓋をあけてから操作部を操作するようにするなどして防犯性を維持することもできる。さらに、操作部は、鍵装置に連結されておらず、単に操作棒等で構成してもよく、さらには伝達部材の一部を操作部とするだけでもよい。このように、操作部とは伝達部材を操作する部材または部分を意味する。
【図面の簡単な説明】
【００３３】
【図１】本発明の実施の形態に係る電動シャッター装置を示す図であって、室外側から見た電動シャッター装置の斜視図である。
【図２】同、縦枠とガイドレールの部分の横断面図である。
【図３】同、クラッチと操作ワイヤーの部分の概略構成図である。
【図４】本発明の他の実施の形態に係る電動シャッター装置を示す図であって、縦枠とガイドレールの部分の横断面図である。
【図５】従来の電動シャッター装置の巻取ドラムの部分を示す断面図である。
【図６】従来の電動シャッター装置を示す斜視図である。
【符号の説明】
【００３４】
７    巻取ドラム
２１，２１´    縦枠
２２，２２´    ガイドレール
３０，３１，３２    操作ワイヤー（伝達部材）
３３    操作部
４０    鍵装置
４１    シリンダ部（操作部）
【図１】
2009057766.tif 000003
【図２】
2009057766.tif 000004
【図３】
2009057766.tif 000005
【図４】
2009057766.tif 000006
【図５】
2009057766.tif 000007
【図６】
2009057766.tif 000008